(57)【要約】【課題】吊支した状態で内部にアクセスすることができる間仕切パネルを提供する。【解決手段】天井Ｒに設けられる誘導路３に吊支部材９，９を介して吊支され、誘導路３に沿って移動可能な間仕切パネル１であって、間仕切パネル１は、間隔をおいて対向配置される一対のパネル部材４，４と、パネル部材４，４の上下方向に亘って延び、一対のパネル部材４，４の側端縁に沿って配置される一対のパネル支持体７，７と、一対のパネル支持体７，７の上端部を接続する上部横フレーム６と、を備え、一対のパネル支持体７，７と上部横フレーム６とで一対のパネル部材４，４の下方に開放する開口部Ａが形成されており、開口部Ａを閉塞するカバー部材８が着脱可能に取付けられている。【選択図】図１０
2019135366.tif 000002
【特許請求の範囲】
【請求項１】
天井に設けられる誘導路に吊支部材を介して吊支され、前記誘導路に沿って移動可能な間仕切パネルであって、
前記間仕切パネルは、間隔をおいて対向配置される一対のパネル部材と、前記パネル部材の上下方向に亘って延び、該一対のパネル部材の側端縁に沿って配置される一対のパネル支持体と、一対の前記パネル支持体の上端部を接続する上部横フレームと、を備え、前記一対のパネル支持体と前記上部横フレームとで前記一対のパネル部材の下方に開放する開口部が形成されており、
前記開口部を閉塞するカバー部材が着脱可能に取付けられていることを特徴とする間仕切パネル。
【請求項２】
前記一対のパネル部材は、透光性を有することを特徴とする請求項１に記載の間仕切パネル。
【請求項３】
前記パネル支持体は、板状を成し、一対の前記パネル部材間に配置されており、
一対の前記パネル部材と前記パネル支持体とは、上下方向に延びる粘着材により固着されていることを特徴とする請求項１または２に記載の間仕切パネル。
【請求項４】
前記カバー部材の長手方向には、一対の前記パネル部材の下端縁を収容する溝部が設けられていることを特徴とする請求項１ないし３のいずれかに記載の間仕切パネル。
【請求項５】
前記カバー部材は、前記パネル支持体に対して該カバー部材の長手方向に延びるネジで固定されていることを特徴とする請求項１ないし４のいずれかに記載の間仕切パネル。
【請求項６】
前記カバー部材には、該カバー部材と床との間を閉塞可能な閉塞機構が取付けられていることを特徴とする請求項１ないし５のいずれかに記載の間仕切パネル。
【発明の詳細な説明】
【技術分野】
【０００１】
本発明は、オフィス、会議室、ショールーム、店舗等の室内を所定の区画に仕切って使用するための間仕切パネルに関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような間仕切パネルにあっては、連接された際に室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される間仕切パネルは、間仕切パネルの厚み方向に対向して配設される一対の透光パネル部材と、一対の透光パネル部材の周囲を取り囲むいわゆる四方枠形状の枠体と、を備えている。枠体は、一対の透光パネル部材の荷重を支持しており、吊支部材により天井に設けられるレールに吊支されている。
【先行技術文献】
【特許文献】
【０００４】
【特許文献１】特許第４９８１５８２号公報（第５頁、第８図）
【発明の概要】
【発明が解決しようとする課題】
【０００５】
このように対向して一対の透光パネル部材が配置される間仕切パネルにあっては、内部のクリーニングや枠体の補修などのメンテナンスを行う場合がある。しかしながら、特許文献１にあっては、四方枠形状の枠体に嵌め込まれる一対の透光パネル部材の荷重を、枠体を構成する下部横フレームが支持する構造となっている。そのため、間仕切パネルの使用状態では下部横フレームを取外すことが実質的にできず、間仕切パネルを吊支した状態で内部にアクセスすることができなかった。
【０００６】
本発明は、このような問題点に着目してなされたもので、吊支した状態で内部にアクセスすることができる間仕切パネルを提供することを目的とする。
【課題を解決するための手段】
【０００７】
前記課題を解決するために、本発明の間仕切パネルは、
天井に設けられる誘導路に吊支部材を介して吊支され、前記誘導路に沿って移動可能な間仕切パネルであって、
前記間仕切パネルは、間隔をおいて対向配置される一対のパネル部材と、前記パネル部材の上下方向に亘って延び、該一対のパネル部材の側端縁に沿って配置される一対のパネル支持体と、一対の前記パネル支持体の上端部を接続する上部横フレームと、を備え、前記一対のパネル支持体と前記上部横フレームとで前記一対のパネル部材の下方に開放する開口部が形成されており、
前記開口部を閉塞するカバー部材が着脱可能に取付けられていることを特徴としている。
この特徴によれば、一対のパネル部材の荷重を一対のパネル支持体と上部横フレームとで支持しているため、間仕切パネルに対してカバー部材を着脱することができ、カバー部材を取外して開口部が開放することで、間仕切パネルを吊支した状態で内部にアクセスすることができる。
【０００８】
前記一対のパネル部材は、透光性を有することを特徴としている。
この特徴によれば、間仕切パネルの内部においてカバー部材の上に堆積した塵埃などの異物を、カバー部材を取外すことで除去することができるので、間仕切パネルの美観を保つことができる。
【０００９】
前記パネル支持体は、板状を成し、一対の前記パネル部材間に配置されており、
一対の前記パネル部材と前記パネル支持体とは、上下方向に延びる粘着材により固着されていることを特徴としている。
この特徴によれば、高い支持強度且つ簡単な構造でパネル支持体と一対のパネル部材とを一体化できる。
【００１０】
前記カバー部材の長手方向には、一対の前記パネル部材の下端縁を収容する溝部が設けられていることを特徴としている。
この特徴によれば、一対のパネル部材が離間または近接する方向に移動することを防止できる。
【００１１】
前記カバー部材は、前記パネル支持体に対して該カバー部材の長手方向に延びるネジで固定されていることを特徴としている。
この特徴によれば、間仕切パネルを吊支した状態であってもカバー部材を取外しやすい。
【００１２】
前記カバー部材には、該カバー部材と床との間を閉塞可能な閉塞機構が取付けられていることを特徴としている。
この特徴によれば、カバー部材を取外せば、閉塞機構のメンテナンスを行うことができる。
【図面の簡単な説明】
【００１３】
【図１】本発明の実施例における移動間仕切装置を示す正面図である。
【図２】間仕切パネルの構造を示す分解斜視図である。
【図３】上部閉塞部材及び下部閉塞部材の収納状態を示す縦断面図である。
【図４】上部閉塞部材及び下部閉塞部材の閉塞状態を示す縦断面図である。
【図５】上部フレームと縦フレームとの連結構造を拡大して示した分解斜視図である。
【図６】下部フレームと縦フレームとの連結構造を拡大して示した分解斜視図である。
【図７】（ａ）は上部フレームと縦フレームとの連結構造を拡大して示した上面図、（ｂ）は同じく側面図である。
【図８】（ａ）は下部フレームと縦フレームとの連結構造を拡大して示した下面図、（ｂ）は同じく側面図である。
【図９】縦フレームによるガラスパネルの支持構造を示す上面視における断面図である。
【図１０】（ａ）は、傾斜させた間仕切パネルの下端部を示した縦断面図であり、（ｂ）は、（ａ）の間仕切パネルから下部フレームを取外す態様を示した縦断面図である。
【発明を実施するための形態】
【００１４】
本発明に係る間仕切パネルを実施するための形態を実施例に基づいて以下に説明する。
【実施例】
【００１５】
実施例に係る間仕切パネルにつき、図１から図１０を参照して説明する。以下、図１の紙面手前側及び図３の紙面右側を移動間仕切装置の正面側（前方側）とし、その前方側から見たときの上下左右方向を基準として説明する。
【００１６】
間仕切パネル１は、例えば、オフィス、会議室、ショールーム、店舗等の建物内の室内を所定の区画に仕切るために用いられるものであり、図１に示されるように、本実施例では、複数の間仕切パネル１，１，…を組み合わせて移動間仕切装置１０を構成している。
【００１７】
移動間仕切装置１０は、室内空間の天井面Ｒに設けられるレール３（誘導路）に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床面Ｆに向けて押し付けられることにより天井面Ｒから床面Ｆに亘って室内空間を仕切ることができるようになっている。
【００１８】
図２に示されるように、間仕切パネル１は、前後に間隔をおいて対向配置される一対のガラスパネル４，４（パネル部材）と、ガラスパネル４，４を一体に保持する枠部材５（上部フレーム６（上部横フレーム）、縦フレーム７，７（パネル支持体）及び下部フレーム８（カバー部材））と、上部フレーム６及び下部フレーム８に収納される上部閉塞部材１１及び下部閉塞部材１２と、上部閉塞部材１１及び下部閉塞部材１２を進退動作させる進退機構（図示略）と、から主に構成される二重ガラスパネル構造を成し、パネル材として透明のガラスパネル４が使用されることにより、間仕切パネル１によって仕切られる室内空間の開放感を演出することができるとともに、強度や遮音性に優れている。尚、本実施例では、ガラスパネル４，４と枠部材５とが一体化されてパネル本体２０を構成しており、上部閉塞部材１１または下部閉塞部材１２とそれぞれに対応する各進退機構とが一体化されて上部閉塞機構または下部部閉塞機構を構成している。
【００１９】
図３を用いて、先ずガラスパネル４の構造について説明する。ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２０】
次いで、枠部材５の構造について説明する。図２に示されるように、枠部材５は、ガラスパネル４，４の上下方向に亘って延び、該一対のガラスパネル４，４の側端縁に沿って配置される一対の縦フレーム７，７と、一対の縦フレーム７，７の上端部を接続する上部フレーム６と、一対の縦フレーム７，７の下端部に固定される下部フレーム８と、から主に構成され、一対のガラスパネル４，４の上下左右端に沿って配置される、いわゆる四方枠形状を成している。尚、ガラスパネル４，４と枠部材５との接続については、後に詳述する。
【００２１】
縦フレーム７は、間仕切パネル１の上下方向に延びる被覆部材７０と、間仕切パネル１の上下方向に延び被覆部材７０により被覆される芯部材７１と、から主に構成され、左右方向に厚みを有する板状を成し、ガラスパネル４，４の間に配設されている。被覆部材７０は、アルミ合金等の金属製の押出成形品であり、芯部材７１は、左右方向に厚みを有する鋼製の板材である。
【００２２】
また、縦フレーム７，７の側部には、それぞれ側部カバー部材７６，７７が取付けられている。隣接した間仕切パネル１，１が左右方向に連設される際には、側部カバー部材７６，７７同士が直接接触するため、ガラスパネル４，４の両側端面を保護できるようになっている。尚、側部カバー部材７６は、右側に凹む凹部７６ａを有し、側部カバー部材７７は、凹部７６ａに嵌合可能な凸部７７ａを有している。また、側部カバー部材７６の凹部７６ａにはゴム等の弾性部材７６ｂ（図９参照）が設けられており、隣接した間仕切パネル１，１が左右方向に連設される際には、側部カバー部材７６の凹部７６ａと側部カバー部材７７の凸部７７ａと嵌合により該弾性部材７６ｂが圧接されるため、隣接する間仕切パネル１，１間における密閉性及び遮音性が高められている。
【００２３】
図３に示されるように、上部フレーム６は、アルミ合金等の金属製の押出成形品であり、下面側の前後に長手方向に沿って設けられる凹溝部６１，６１と、上面側の前後略中央部に長手方向に沿って設けられる上部チャンネル部６２と、を備えている。凹溝部６１は、側方から見て下向きコ字状を成し、ガラスパネル４，４の上端部を上方から嵌合している。上部チャンネル部６２は、側方から見て上向きコ字状を成し、上部閉塞機構を収容している。
【００２４】
また、図７（ａ）に示されるように、上部フレーム６は、左右方向に貫通して延びる溝６ｄを備え、上部フレーム６の左右両端部には、鋼製の上部芯部材６３，６３（左側のみ図示）が固定されている。詳しくは、溝６ｄを構成する上壁部６ｆには、その前後方向中央部に左右方向に沿って切り欠かれたスリット６ｇが形成されており、前後に分断されている。スリット６ｇの左右端部には、スリット６ｇの左右方向中央部よりも前後方向に幅広な幅広部６ｈが形成されている。また、上部芯部材６３は、左右方向に延びる基部６３ａと、該基部６３ａの左右方向略中央部には、上方向に突出し吊支部材９を接続可能な筒状の接続部６３ｂと、基部６３ａにおける接続部６３ｂよりも右側に設けられるネジ孔６３ｃ，６３ｃと、が設けられている。
【００２５】
左側の上部芯部材６３は、上部フレーム６の左端部から溝６ｄに挿入される。接続部６３ｂの外径は、スリット６ｇの幅広部６ｈの前後幅よりも小さく、スリット６ｇの左右方向中央部よりも大きいため、上部芯部材６３を溝６ｄに挿入したときに接続部６３ｂが幅広部６ｈの右端部に接触することで、溝６ｄへの挿入深度が位置決めされる。
【００２６】
また、溝６ｄへの挿入深度が位置決めされた上部芯部材６３は、上壁部６ｆに接触した状態でネジ孔６３ｃ，６３ｃを用いて図示しないネジにより上部フレーム６と固定されており、上部芯部材６３と上壁部６ｆとが上下に相対移動することが防止されている。尚、右側の上部芯部材６３も左側の上部芯部材６３と同様の形態で上部フレーム６に固定されている（図示略）。
【００２７】
図３に戻って、下部フレーム８は、アルミ合金等の金属製の押出成形品であり、上面側の前後に長手方向に沿って設けられる凹溝部８１，８１（溝部）と、下面側の前後略中央部に長手方向に沿って設けられる下部チャンネル部８２と、を備えている。凹溝部８１は、側方から見て上向きコ字状を成し、ガラスパネル４，４の下端部を下方から嵌合している。下部チャンネル部８２は、側方から見て下向きコ字状を成し、下部閉塞機構を収容している。
【００２８】
また、図８に示されるように、下部フレーム８は、上部フレーム６を略上下反転した構成であり、溝８ｄ、下壁部８ｆ、スリット８ｇ及び幅広部８ｈが形成されている。同様に、下部芯部材８３は、上部芯部材６３を略上下反転し且つ接続部６３ｂを省略した構成であり、基部８３ａ、ネジ孔８３ｃ，８３ｃと、が設けられている。そのため、上部フレーム６及び上部芯部材６３と同様に、下部フレーム８には、溝８ｄへの挿入された下部芯部材８３が下壁部８ｆに接触した状態でネジ孔８３ｃ，８３ｃを用いて図示しないネジにより下部フレーム８と固定されており、下部芯部材８３と下壁部８ｆとが上下に相対移動することが防止されている。
【００２９】
次に、上部閉塞機構及び下部閉塞機構について説明する。図２〜図４に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、アルミ合金等の金属製の押出成形品であり、下部フレーム８と略同一寸法で左右方向に延びており、側方から見て上向きコ字形状を成している。
【００３０】
図１に戻って、上部閉塞部材１１は、上部フレーム６の上部チャンネル部６２に収納された状態において、パネル本体２０よりも左側（間仕切り位置への進行方向）に向かって左端部（先端部）が突出している。下部閉塞部材１２も同様に、下部チャンネル部８２に収納された状態において、パネル本体２０よりも左側（間仕切り位置への進行方向）に向かって左端部（先端部）が突出している。
【００３１】
図３及び図４に示されるように、上部閉塞部材１１及び下部閉塞部材１２は、レール３及び床面Ｆに対して進退動作するようになっている。また、上部閉塞部材１１の上面側の前後及び下部閉塞部材１２の下面側の前後には、長手方向に沿って延びるゴム製等のシール部材１４が固着されており、特に図４に示されるように、上部閉塞部材１１及び下部閉塞部材１２がレール３及び床面Ｆに近づく方向に延出した状態にあっては、シール部材１４がそれぞれ上部閉塞部材１１及び下部閉塞部材１２とレール３の下面及び床面Ｆとの間で圧接され、密閉性及び遮音性が高められる。尚、上部閉塞部材１１及び下部閉塞部材１２を進退動作させる進退機構は、捻りコイルバネ、または捻りコイルバネ及びリンク部材を組み合わせたリンク機構等により構成されている。
【００３２】
次に、ガラスパネル４，４と枠部材５との接続について図５〜図１０に基づいて説明する。図５〜図１０に示されるように、縦フレーム７は、ガラスパネル４，４間に配置され、縦フレーム７を構成する被覆部材７０は、ガラスパネル４，４の対向面４ａ，４ａに沿って上下方向に延びる支持面７０ａ，７０ｂ（特に図９参照）が形成されており、ガラスパネル４，４と縦フレーム７とは、支持面７０ａ，７０ｂに沿って上下方向に延びる２条の透明な両面テープ７５，７５により固着されている（特に図９参照）。具体的には、図９に示されるように、支持面７０ａ，７０ｂには、ガラスパネル４，４側に突出する凸条部７２，７２がそれぞれ設けられており、凸条部７２の突出側先端面７２ａには、上下方向に沿って両面テープ７５，７５が貼付されてガラスパネル４，４と縦フレーム７とが固着されている。尚、ガラスパネル４，４の上下両端部は、被覆部材７０よりも上下に突出している（図３及び図４参照）。
【００３３】
また、被覆部材７０により被覆される芯部材７１は、板状を成し、被覆部材７０よりも上下方向に長尺に構成され、その上下両端部が被覆部材７０よりも上下に突出している。芯部材７１の上端部は、上部フレーム６の上部チャンネル部６２（図３参照）よりも前後方向の寸法が小さく形成されており、上部フレーム６の前後方向略中央且つ上部フレーム６の長手方向内側に挿入された状態（図７（ａ）及び図９参照）で、上部フレーム６に対して該上部フレーム６の長手方向に延びる一対のネジ１３，１３で固定されている。
【００３４】
さらに、芯部材７１の上端部は、当該上端部の外側を覆う上面視略コ字状の上部カバー７８とともに、上部フレーム６の長手方向に延びるネジ１５で上部フレーム６に予め固定されている鋼製の上部芯部材６３に対して固定されることより、上部フレーム６と縦フレーム７とが連結されている。上部芯部材６３は、上部フレーム６の長手方向に沿って形成される溝６ｄに挿入され、該上部フレーム６に対して固定されており、上方から上部閉塞部材１１を介して吊支部材９が接続されている（図７（ｂ）参照）。尚、図７（ｂ）においては、説明の便宜上、上部カバー７８の構成の図示を省略している。
【００３５】
次いで、下部フレーム８の取付けについて説明する。下部フレーム８は縦フレーム７，７に着脱可能に取付けられており、下部フレーム８を縦フレーム７，７に取付けることで、ガラスパネル４，４の下方に開放する開口部Ａ（特に図１０参照）は閉塞される。
【００３６】
芯部材７１の下端部には、下部フレーム８が取付けられている。この芯部材７１の下端部は、下部フレーム８の下部チャンネル部８２（図３参照）よりも前後方向の寸法が小さく形成されており、下部フレーム８の前後方向略中央且つ下部フレーム８の長手方向内側に挿入した状態（図８（ａ）参照）で、下部フレーム８に対して該下部フレーム８の長手方向に延びる一対のネジ１７，１７で固定されている（図８（ｂ）参照）。
【００３７】
さらに、芯部材７１の下端部は、当該下端部の外側を覆う上面視略コ字状の下部カバー７９とともに、下部フレーム８の長手方向に延びるネジ１８で下部フレーム８に予め固定されている鋼製の下部芯部材８３に対して固定されることより、下部フレーム８と縦フレーム７とが連結されている。下部芯部材８３は、下部フレーム８の長手方向に沿って形成される溝８ｄに挿入され、該下部フレーム８に対して固定されている（図８（ｂ）参照）。尚、図８（ｂ）においては、説明の便宜上、下部カバー７９の構成の図示を省略している。
【００３８】
ここで、枠部材５は、剛性の高い鋼製の上部芯部材６３と芯部材７１とがＬ字状に連結されることにより、上部フレーム６と縦フレーム７との連結構造の構造強度を確保し、縦フレーム７，７により固着されるガラスパネル４，４の荷重を上部芯部材６３，６３及び芯部材７１，７１により支持している。
【００３９】
すなわち、縦フレーム７，７と上部フレーム６とで実質的にガラスパネル４，４を支持している。そして、下部フレーム８は、ガラスパネル４，４の荷重を支持するため機能を必要としておらず、下部フレーム８を小さく構成することができる。これにより、後述するように下部フレーム８を取外す際に、間仕切パネル１を傾斜させる角度を小さくできる。
【００４０】
次に、下部フレーム８の取外しについて主に図１０に基づいて説明する。尚、本説明において、下部閉塞機構は収納状態にあるものとする。図８（ａ）に示される状態からネジ１８とともに下部カバー７９を取外し、図８（ｂ）に示される状態となる。その後、ネジ１７，１７を取外し、吊支部材９，９を回動基準として間仕切パネル１の下端を後方側へと移動させ、間仕切パネル１を傾斜させ、図１０（ａ）に示される状態となる。次に、図１０（ａ）に示されるように、ガラスパネル４，４に沿って下方側に（矢印方向に）下部フレーム８を移動させることで、凹溝部８１，８１がガラスパネル４，４の下端部から離脱し、図１０（ｂ）に示されるように、下部フレーム８を間仕切パネル１から取外すことができる。尚、ネジ１７，１７，１８及び下部カバー７９は、間仕切パネル１を傾斜させた後、取外してもよい。
【００４１】
一方、取外した下部フレーム８は、取外しの手順と逆の手順を行うことで間仕切パネル１に取付けることができる。
【００４２】
以上説明したように、本実施例の間仕切パネル１は、一対のガラスパネル４，４の荷重を一対の縦フレーム７，７と上部フレーム６とで支持しているため、間仕切パネル１に対して下部フレーム８を着脱することができ、下部フレーム８を取外して開口部Ａが開放することで、間仕切パネル１を吊支した状態で内部にアクセスすることができる。
【００４３】
また、ガラスパネル４，４は透光性を有しているため、間仕切パネル１の内部において下部フレーム８の上に堆積した塵埃などの異物を、下部フレーム８を取外すことで除去することができるので、間仕切パネル１の美観を保つことができる。
【００４４】
また、縦フレーム７は、板状を成し、一対のガラスパネル４，４間に配置されており、一対のガラスパネル４，４と縦フレーム７とは、上下方向に延びる両面テープ７５，７５により固着されているため、高い支持強度且つ簡単な構造で縦フレーム７と一対のガラスパネル４，４とを一体化できる。
【００４５】
また、上部フレーム６及び下部フレーム８の長手方向には、一対のガラスパネル４，４の上下両端部をそれぞれ収容する凹溝部６１，６１または凹溝部８１，８１が設けられているため、間仕切パネル１を移動させるときや間仕切パネル１，１，…を連接させるときの衝撃などにより、一対のガラスパネル４，４が離間または近接する方向に移動することを防止できる。そのため、両面テープ７５，７５からガラスパネル４，４を剥がす方向に力が働くことを抑制でき、ガラスパネル４，４の剥がれ落ちを防止でき耐震性も向上する。
【００４６】
また、下部フレーム８は、縦フレーム７に対して該下部フレーム８の長手方向に延びるネジ１７，１７，１８で固定されているため、間仕切パネルを吊支した状態であってもカバー部材を取外しやすい。
【００４７】
また、下部フレーム８には、該下部フレーム８と床面Ｆとの間を閉塞可能な下部閉塞機構が取付けられているため、下部フレーム８を取外せば、下部閉塞機構のメンテナンスを行うことができる。
【００４８】
また、縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７を左右方向の厚みの薄い板状に構成しつつ、芯部材７１，７１により縦フレーム７，７の縦方向の強度を確保できる。
【００４９】
また、上部フレーム６においても、一対の上部芯部材６３，６３を鋼製等の剛性の高い素材により構成し、上部芯部材６３，６３を薄く構成したアルミ合金製の上部フレーム６で被覆することにより、上部フレーム６全体を小さく構成しつつ、上部芯部材６３，６３により上部フレーム６の構造強度を確保できる。下部フレーム８および一対の下部芯部材８３，８３についても同様である。
【００５０】
また、上部フレーム６に一体に取付けられる上部芯部材６３，６３に間仕切パネル１を吊支する吊支部材９，９が接続されることにより、上部芯部材６３，６３を被覆する上部フレーム６に必要な構造強度をより小さくすることができるため、上部フレーム６を薄く構成できる。
【００５１】
このように、枠部材５が上部フレーム６、一対の縦フレーム７，７及び下部フレーム８が一体に連結された四方枠形状として構成されることにより、枠部材５の構造強度を確保しながら、間仕切パネル１における枠部材５の大きさを抑えることができる。このように、間仕切パネル１における枠部材５を薄く形成することができるため、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【００５２】
尚、本実施例では、上部フレーム６に上部芯部材６３を予め固定した後、上部芯部材６３に縦フレーム７を固定する形態を例示したが、上部芯部材６３と縦フレーム７を固定した後、上部芯部材６３を上部フレーム６に固定するようにしてもよい。
【００５３】
以上、本発明の実施例を図面により説明してきたが、具体的な構成はこれら実施例に限られるものではなく、本発明の要旨を逸脱しない範囲における変更や追加があっても本発明に含まれる。
【００５４】
例えば、前記実施例では、ガラスパネル４，４が前後に２枚設けられる間仕切パネル１について説明したが、これに限られず、間仕切パネルは、ガラスパネル４が１枚または３枚以上の複数設けられるものであってもよい。
【００５５】
また、前記実施例では、パネル部材としてガラスパネル４，４を利用する形態を例示したが、これに限られず、例えば、パネル部材は、透光性を有さない非透光パネル部材で構成されていてもよい。
【００５６】
また、前記実施例では、枠部材５を構成する一対の縦フレーム７，７に対して一対のガラスパネル４，４がそれぞれ両面テープ７５，７５により固着されて支持されるものについて説明したが、これに限らず、ガラスパネル４，４は、縦フレーム７，７だけでなく、上部フレーム６に対して両面テープにより固着されていてもよい。また、上部フレーム６及び縦フレーム７，７に対するガラスパネル４，４の固着は、両面テープによるもの限らず、接着剤や粘着剤が使用されてもよい。また、一対のガラスパネル４，４と縦フレーム７，７とを固着する粘着材は、上下方向に分割されていてもよい。
【００５７】
また、前記実施例では、下部フレーム８を取外す際に、間仕切パネル１を傾斜させる態様として説明したが、これに限らない。例えば、高さの低い箇所の床面があればその箇所まで間仕切パネル１を移動させ、間仕切パネル１を前後方向へ傾斜させることなく（略鉛直方向に吊支された状態で）取外してもよい。
【００５８】
また、上部フレーム６及び下部フレーム８は、凹溝部６１，６１または凹溝部８１，８１が設けられているものに限らず、設けられていなくともよい。
【００５９】
また、上部フレーム６に一体に取付けられる上部芯部材６３，６３は、左右に分割されるものに限らず、上部フレーム６の長手方向に亘って一体に構成されていてもよい。下部芯部材８３，８３についても同様に、下部フレーム８の長手方向に亘って一体に構成されていてもよい。
【００６０】
また、上部芯部材６３、下部芯部材８３および芯部材７１は、鋼製のものに限らず、少なくとも上部フレーム６及び被覆部材７０を構成する素材（アルミ合金等）よりも剛性の高い素材から構成されていればよい。さらに、上部フレーム６及び被覆部材７０は、アルミ合金製以外の金属や木材及び合成樹脂等から構成されていてもよい。
【００６１】
また、上部フレーム６は、上部芯部材６３，６３が一体に取付けられていなくてもよく、この場合、縦フレーム７の芯部材７１に吊支部材９が直結される。下部フレーム８についても同様に、下部芯部材８３，８３が一体に取付けられていなくともよい。
【００６２】
また、下部フレーム８は、ネジ１７，１７，１８で縦フレーム７に対して固定されている態様として説明したが、これに限らず、ネジ１７，１７またはネジ１８だけ、あるいは他のネジやボルトナット、磁石、進退動作可能なフック等、縦フレーム７に対して着脱可能に固定されていればよい。
【符号の説明】
【００６３】
１                間仕切パネル
３                レール（誘導路）
４                ガラスパネル（パネル部材）
６                上部フレーム（上部横フレーム）
７                縦フレーム（パネル支持体）
８                下部フレーム（カバー部材）
９                吊支部材
１０              移動間仕切装置
１２              下部閉塞部材
１７              ネジ
１８              ネジ
８１              凹溝部（溝部）
Ａ                開口部
Ｒ                天井面
Ｆ                床面
【図１】
2019135366.tif 000003
【図２】
2019135366.tif 000004
【図３】
2019135366.tif 000005
【図４】
2019135366.tif 000006
【図５】
2019135366.tif 000007
【図６】
2019135366.tif 000008
【図７】
2019135366.tif 000009
【図８】
2019135366.tif 000010
【図９】
2019135366.tif 000011
【図１０】
2019135366.tif 000012